(57)【要約】      （修正有）【課題】  卓板中央にコンロ用孔部を形成する両端卓板方式のバーべキュー用テーブルにおいて、構造が簡単で、コンパクトにして収納ができ、且つ適宜な形態選択が可能で、通常のテーブルにも簡単に組上げることができるようにする。【解決手段】  テーブル卓板の両端部分を構成する細長の各端側卓板部１１に二脚を設けた２個の端側卓板体１と、脚が四方に配置されるよう前記２個の端側卓板体の長尺方向の端部を連結する差渡杆２ａとを備え、前記脚が、端側卓板部長尺方向の両端に、卓板部裏面長尺方向へ折り畳み自在に設けると共に、差渡杆の連結部を付設してなり、端側卓板体１を差渡杆２ａで連結すると、差渡杆２ａの長さに対応して端側卓板部の中間に孔部を有するテーブルを組上げることができる。【選択図】  図２
2005065898.tif 000002
【特許請求の範囲】
【請求項１】
テーブル卓板の両端部分を構成する細長の各端側卓板部に二脚を設けた２個の端側卓板体と、脚が四方に配置されるよう前記２個の端側卓板体の長尺方向の端部を連結する差渡杆とを備え、前記脚が、端側卓板部長尺方向の両端に、卓板部裏面長尺方向へ折り畳み自在に設けると共に、差渡杆の連結部を付設してなることを特徴とする組立式テーブル。
【請求項２】
差渡杆上に載置する卓板を備えてなる請求項１記載の組立式テーブル。
【請求項３】
端側卓板部の差渡杆側の側面に係止突起を設けると共に、細長とした卓板の周面に前記係止突起と対応する係止凹部を設け、卓板を端側卓板部と並べて載置するか、或いは卓板長尺方向が差渡杆と平行となるようにして、中央に孔部を形成するように載置するか選択可能とした請求項２記載の組立式テーブル。
【請求項４】
卓板底面に差渡杆を抱持する抱持部を設けてなる請求項２記載の組立式テーブル。
【発明の詳細な説明】
【技術分野】
【０００１】
本発明は、中央に孔部を備えることのできる組立式テーブルに関するものである。
【背景技術】
【０００２】
テーブルの中央に孔部を備えてコンロなどを配置する所謂バーべキュー用テーブルは従前より種々の構造のものが提案されている。特に組立方式を採用しているものとしては、４本の脚をクロス杆で連結して拡窄自在とし、拡げた脚上に折り畳み卓板を載置する方式（特許文献１）や、卓板の下面に脚を折り畳む方式（特許文献２）等が知られている。
【０００３】
しかし前記のバーべキュー用テーブルは、二つ折り天板を採用しているために、コンパクト収納に問題がある。そこで卓板の両端側となる部分の二枚の卓板を、枢結軸（屈伸支点）を有するスライド伸縮自在の連結バーで連結し、展開した卓板間を拡げて、当該卓板間空間の両側に小卓板を配置して、卓板中央にコンロ用孔部を形成する両端卓板方式も提案されている（特許文献３）。
【０００４】
【特許文献１】特開平９−１０８０４０号公報。
【特許文献２】意匠登録１０５３５２３号公報。
【特許文献３】特開２００３−１９９６２９号公報。
【発明の開示】
【発明が解決しようとする課題】
【０００５】
二つ折り卓板方式に対して両端卓板方式の方が収納時のコンパクト化において優れているが、前記した従前の両端卓板方式の折り畳みテーブルには種々の問題がある。
【０００６】
第一に両端卓板を、枢結軸（屈伸支点）を有するスライド伸縮自在の連結バーで連結しているために、製造が煩雑であると共に、縦方向（スライド方向）の卓板長が連結バーの伸縮可能長さによって制限を受ける。
【０００７】
第二に折り畳み脚にコ状脚を採用し、縦方向回動で両端卓板の裏面に収納するような構成であるため、両端卓板の縦方向長さを相応に長くしなければならないので、両端卓板の大きさを小さくすることができず、この点において収納時のコンパクト化に問題が生ずる。また脚横杆がテーブル使用時に足にあたり邪魔になる。
【０００８】
第三に、コンロの組み込みを行わずに、通常のテーブルとして使用する状態を考慮されていない。仮にコンロ用孔部を塞ぐには、小卓板に連結機構を設ける必要があるし、或いは小卓板に変わる中間卓板を必要とし、部材が多くなってしまう。
【０００９】
そこで本発明は、両卓板方式のテーブルで前記の課題を解決した新規な組立式テーブルを提案したものである。
【課題を解決するための手段】
【００１０】
本発明に係る組立式テーブルは、テーブル卓板の両端部分を構成する細長の各端側卓板部に二脚を設けた２個の端側卓板体と、脚が四方に配置されるよう前記２個の端側卓板体の長尺方向の端部を連結する差渡杆とを備え、前記脚が、端側卓板部長尺方向の両端に、卓板部裏面長尺方向へ折り畳み自在に設けると共に、差渡杆の連結部を付設してなることを特徴とするものである。
【００１１】
従って２個の端側卓板体を差渡杆で連結すると、差渡杆の長さに対応して端側卓板部の中間に孔部を有するテーブルを組上げることができる。
【００１２】
また本発明（請求項２）は、さらに差渡杆上に載置する卓板を備えてなるもので、卓板を差渡杆に載置することで、前記孔部を塞いで所望の大きさの通常のテーブルとして組上げられる。
【００１３】
更に本発明（請求項３）は、端側卓板部の差渡杆側の側面に係止突起を設けると共に、細長とした卓板の周面に前記係止突起と対応する係止凹部を設け、卓板を端側卓板部と並べて載置するか、或いは卓板長尺方向が差渡杆と平行となるようにして、中央に孔部を形成するように載置するか選択可能としたものである。
【００１４】
従ってテーブル中央の孔部の周囲に卓板が配置されるテーブルや、通常のテーブルなどを選択的に組上げることが出来る。
【発明の効果】
【００１５】
本発明は以上の通りであるから、差渡杆の長さを種々選択することで、テーブルの大きさや中央孔部の大きさを任意に設定できるし、脚を両端卓板の裏面長手向に収納するような構成としたことによって、両端卓板の縦方向長さを短くでき、収納状態では全体をコンパクトにでき、使用に際して脚が邪魔にならない。更に差渡杆に卓板を載置することで、テーブル仕様にも容易に組上げることができる。
【発明を実施するための最良の形態】
【００１６】
次に本発明の実施の形態について説明する。実施形態に示した組立式テーブルは、２個の端側卓板体１と、２種類の長さの各２本の差渡杆２（短尺差渡杆２ａと長尺差渡杆２ｂ）と、２個の卓板３と、４本の継ぎ足し脚４とで１セットとしたものである。
【００１７】
端側卓板体１は、端側卓板部１１に２本の脚部１２を設けたもので、端側卓板部１１は細長形状（以下、長尺長さをＡ、短尺長さをＢとし、長尺方向を横方向とし、短尺方向を縦方向と定義する。）で、天板部１１１と天板部１１１の周囲に側板部１１２を設けてなる。
【００１８】
脚部１２は、端側卓板部１１の横方向両端部裏面の縦方向位置に、側板部１１２の下方に突出した軸受け部１２１に回動軸管１２２を架設すると共に、前記回動軸管１２２に脚杆１２３を固着し、脚杆１２３を横方向に折り畳み可能とし、更に脚杆１２３には、卓板部１１との間に、直立維持機能を付与する折れ腕杆１２４を付設し、脚杆１２３の下端部分には、継ぎ足し脚４の連結機構を設けてなる。
【００１９】
更に前記軸受け部１２１の一方側には、差渡杆２の連結部となる開口部１２５を開設してなり、また開口部１２５位置より横方向中央よりの側板部１１２に、係止突起１１３を突設してなる。
【００２０】
差渡杆２は、本杆部２１の両端部に、回動軸管１２２に差し込み可能な差代部２２を有するもので、短尺差渡杆２ａの本杆部２１の長さは２Ｂ長とし、長尺差渡杆２ｂの本杆部２１の長さはＡ長としてなる。
【００２１】
卓板３は端側卓板部と同一の大きさのＡ×Ｂの寸法で、横方向側板部には２個の係止凹部３１を設け、縦方向側板部には１個の係止凹部３２を設けたもので、それぞれの係止凹部３１，３２の形成位置は、後述する組み上がりと対応するように設けておくものである。
【００２２】
而して前記の部材を使用してのテーブルの組み立ては、図２に示したとおり短尺差渡杆２ａを採用した場合には、各脚杆１２３に継ぎ足し脚４を連結し、図５に示すように差渡杆２の差代部２２を、開口部１２５を通して回動軸管１２２に差し込んで、２個の端側卓板体１を一体に連結する。
【００２３】
前記の状態でも、中央が開口したテーブルとして使用することも出来るが、更に横方向係止凹部３１を係止突起１１３に係合するように、差渡杆２上に卓板３を載置すると、図３に例示するテーブルが組み上がる。
【００２４】
更に短尺差渡杆２ａに代えて長尺差渡杆２ｂを使用して、前記と同様に組み上げると、図６に示すように、中央部分が開口したテーブルが組上げられ、開口部分にバーベキューコンロＡを配置することで、バーベキュー用テーブルとして使用できる。
【００２５】
また卓板３の載置に際して、縦方向係止部３２を係止突起１１３に係合させると、図７に示すように、開口部の四周に卓板が配置されるバーベキュー用テーブルを組上げることができる。
【００２６】
そして使用されない場合には、脚杆１２３は端側卓板部１１の裏面側に折り畳まれ、長尺差渡杆２ｂ以外の短尺差渡杆２ａおよび継ぎ足し脚４は卓板３の裏面に収納され、図８に例示するとおり、コンパクトに纏めることができる。
【００２７】
勿論本発明は前記実施形態に限定されるものではなく、種々の具体的構造を採用することが出来るもので、その一例を挙げると、図９〜１２に示すような形態を採用できる。
【００２８】
例えば脚部の回動軸管１２２の軸受け部１２１の一方を、端側卓板部１１の縦方向中間に配置し、軸受け部１２１から突出した突出軸１２６に、差渡杆２を外挿連結するようにしても良い。
【００２９】
また係止突起１１３と係止凹部３１，３２の係合構造を採用せずに、卓板３ａの裏面に、差渡杆２を抱持する抱持部３３を設けても良い。特にこの抱持部３３は、倒伏起立自在に設けて、収納時には卓板３ａの裏面に折り畳み収納されるようにすると、卓板３ａの裏面から非突出状態となり、収納しやすくなる。
【図面の簡単な説明】
【００３０】
【図１】本発明の実施形態の端側卓板体の分解斜視図。
【図２】同テーブルの組立前の分解斜視図。
【図３】同組立状態のテーブルの斜視図。
【図４】同端側卓板体の説明図で（イ）は脚の折り畳み状態を示す裏面図、（ロ）は係止突起部分の断面図。
【図５】同差渡杆の装着構造の説明図。
【図６】同組立状態のテーブルの斜視図（バーべキュー用の例）。
【図７】同組立状態のテーブルの斜視図（バーべキュー用の別例）。
【図８】同収納状態時の説明図。
【図９】本発明の別の実施形態のテーブルの組立前の分解斜視図。
【図１０】同卓板の一部裏面図。
【図１１】同端側卓板体の一部裏面図。
【図１２】同正面図。
【符号の説明】
【００３１】
１          端側卓板体
１１        端側卓板部
１１１      天板部
１１２      側板部
１１３      係止突起
１２        脚部
１２１      軸受け部
１２２      回動軸管
１２３      脚杆
１２４      折れ腕杆
１２５      開口部
１２６      突出軸
２ａ，２ｂ  差渡杆
２１        本杆部
２２        差代部
３          卓板
３１，３２    係止凹部
３３        抱持部
４          継ぎ足し脚
【図１】
2005065898.tif 000003
【図２】
2005065898.tif 000004
【図３】
2005065898.tif 000005
【図４】
2005065898.tif 000006
【図５】
2005065898.tif 000007
【図６】
2005065898.tif 000008
【図７】
2005065898.tif 000009
【図８】
2005065898.tif 000010
【図９】
2005065898.tif 000011
【図１０】
2005065898.tif 000012
【図１１】
2005065898.tif 000013
【図１２】
2005065898.tif 000014